(57)【特許請求の範囲】
【請求項１】
建物内外を連通する主通路及び副通路を画成する枠手段と、主通路に回転自在に配されていると共に当該主通路を開閉する通路開閉手段と、副通路に回転自在に配されていると共に当該副通路に一定以上の速度の空気流が生じる際に、この空気流により主通路を閉鎖するように通路開閉手段を回動させる羽根手段とを具備しており、通路開閉手段は、主通路を開放するように常時回動付勢されている換気ダンパ。
【請求項２】
副通路は、主通路を挟んで主通路の両側に設けられている請求項１に記載の換気ダンパ。
【請求項３】
通路開閉手段は、回転自在軸と、この回転自在軸に固着された閉鎖部材とを具備しており、閉鎖部材は、主通路を開放するように常時付勢されるべく、その自重により回転モーメントを生じさせるように回転自在軸に固着されている請求項１又は２に記載の換気ダンパ。
【請求項４】
通路開閉手段は、回転自在軸と、この回転自在軸に固着された閉鎖部材とを具備しており、閉鎖部材は、その自重により主通路を開放するように常時付勢されるように、その重心が回転自在軸の軸心から偏心して回転自在軸に固着されている請求項１から３のいずれか一項に記載の換気ダンパ。
【請求項５】
羽根手段は、通路開閉手段によって主通路が開放される際には副通路の空気流を受容し、通路開閉手段によって主通路が閉鎖される際には副通路を閉鎖するように、副通路に張り出して回転自在軸に固着された羽根を有している請求項３又は４に記載の換気ダンパ。
【請求項６】
通路開閉手段による主通路の閉鎖を強制的に行わせるべく、通路開閉手段を回動させる回動手段を更に具備している請求項１から５のいずれか一項に記載の換気ダンパ。
【請求項７】
回動手段は、回動力発生手段と、この回動力発生手段により発生された回動力を通路開閉手段に伝達する伝達手段とを具備しており、伝達手段は、通路開閉手段が通路開放位置に回動された際に、通路閉塞位置に向かう通路開閉手段の自由回動を許容するようになっている請求項６に記載の換気ダンパ。
【請求項８】
枠手段は、主通路及び副通路を画成すべく、一対の側壁部材と、一対の側壁部材を橋絡した一対の横長部材とを有しており、一対の横長部材の夫々には横長のシール部材が設けられており、一対の側壁部材の夫々には縦長のシール部材が設けられており、通路開閉手段は、通路閉鎖位置に回動された際に、横長及び縦長のシール部材に当接するようになっている請求項１から７のいずれか一項に記載の換気ダンパ。
【発明の詳細な説明】
【０００１】
【発明の属する技術分野】
本発明は、建物、特に戸建住宅又は集合住宅において部屋上部等の換気口に取付けられる換気ダンパに関する。
【０００２】
【発明が解決しようとする課題】
通常、この種の換気ダンパでは、通路を規定するフレーム内に閉鎖部材が回動自在に配され、閉鎖部材の回動により通路の開度を決定して、通路を介する通気の程度を制御するようにしている。
【０００３】
ところで、換気ダンパでは、通路を開放している場合に屋外で強風が生じると、この強風が通路を介して部屋内に吹き出す虞がある。この強風に基づく吹き出しは、部屋内の居住者等に不快感を与えると共に埃及び場合により吹き出しに伴った砂塵等を部屋内に舞い上げることになる。
【０００４】
そこで、斯かる換気ダンパでは、屋外で吹く強風等が室内に吹き込まないように、風の強弱に応答して閉鎖部材を回動させて通路を開閉させることが好ましいのであるが、風の強弱による風圧を電気的に検出する風圧センサを屋外に設けて、この風圧センサからの検出電気信号でもって閉鎖部材を回動させるようにする場合には、風の強弱に対して即時に応答して閉鎖部材を回動させないと、屋外から部屋内への強風の完全な吹き込みを防止し難い。
【０００５】
閉鎖部材の回動の速度応答性を向上させるためには、高速応答性の高出力の大型の電動モータ等の駆動装置を必要とする結果、高価になる上に大型となって部屋上部等の換気口にコンパクトに取付け難くなり、加えて、屋外に設ける風圧センサは直接に風雨等に曝されるためにそれの定期的な保守が必要となるために、この点からも風圧センサを用いた換気ダンパは必ずしも満足できるものではない。
【０００６】
本発明は、前記諸点に鑑みてなされたものであって、その目的とするところは、電気的なセンサを必要とすることなしに屋外で吹く風に迅速に応答して通路を開閉できて、しかも、それ程占有スペースを必要としない小型に構成できる換気ダンパを提供することにある。
【０００７】
【課題を解決するための手段】
本発明の第一の態様の換気ダンパは、建物内外を連通する通路を画成する枠手段と、通路に回転自在に配されていると共に通路を開閉する通路開閉手段と、通路に一定以上の速度の空気流が生じる際に、この空気流により通路を閉鎖するように通路開閉手段を回動させる羽根手段とを具備しており、ここで、通路開閉手段は、通路を開放するように常時回動付勢されている。
【０００８】
第一の態様の換気ダンパでは、枠手段によって通路を画成し、通路に一定以上の速度の空気流が生じる際に、通路を閉鎖するように通路開閉手段を羽根手段により回動させるようになっているために、電気的なセンサを必要とすることなしに屋外で吹く風に迅速に応答して通路を開閉できて、しかも、高出力の電動モータ等の駆動装置を必要としない結果、それ程占有スペースを必要としなく小型に構成できる。
【０００９】
本発明では通路は、一個でもよいのであるが、好ましい例では、その第二の態様の換気ダンパのように、主通路と副通路とを具備しており、ここで、通路開閉手段は、主通路を開放するように常時回動付勢されており、羽根手段は、副通路に一定以上の速度の空気流が生じる際に、主通路を閉鎖するように通路開閉手段を回動させるようになっていてもよい。
【００１０】
また、副通路も一個でもよいのであるが、その第三の態様の換気ダンパのように、主通路を挟んで主通路の両側に設けられていると、通路開閉手段を容易に回動できるので、好ましい。
【００１１】
本発明の通路開閉手段は、好ましい例では、その第四及び第五の態様の換気ダンパのように、回転自在軸と、この回転自在軸に固着された閉鎖部材とを具備しており、この場合、閉鎖部材は、その第四の態様の換気ダンパのように、通路を開放するように常時付勢されるべく、その自重により回転モーメントを生じさせるように回転自在軸に固着されていても、その第五の態様の換気ダンパのように、その自重により通路を開放するように常時付勢されるように、その重心が回転自在軸の軸心から偏心して回転自在軸に固着されていてもよい。
【００１２】
通路を開放するように通路開閉手段を常時回動付勢するためには、上記の態様のように構成してもよいのであるが、本発明は上記の態様に限らないのであって、閉鎖部材若しくは回転自在軸に重錘を取付け又はコイルばね等の弾性手段を回転自在軸に連結して、これにより通路を開放するように通路開閉手段を常時回動付勢するようにしてもよい。
【００１３】
本発明の羽根手段は、好ましい例では、その第六及び第七の態様の換気ダンパのように、通路開閉手段によって通路が開放される際には通路の空気流を受容し、通路開閉手段によって通路が閉鎖される際には通路を閉鎖するように、通路に張り出して回転自在軸及び閉鎖部材のうちの少なくとも一方に固着された羽根を有している。
【００１４】
斯かる羽根は、一枚でもよいが２枚以上の複数枚であってもよく、また、平板状の形状を有していてもよいが、通路の空気流を効果的に受容するように、湾曲状の形状を有しているのが好ましい。
【００１５】
本発明では、羽根手段によってのみ通路開閉手段が回動されて通路閉鎖を行うようになっていてもよいが、その第八の態様の換気ダンパのように、通路開閉手段を回動させる回動手段を具備せしめて、通路開閉手段による通路の閉鎖を回動手段により強制的に行わせるようにしてもよい。
【００１６】
斯かる回動手段を設けることにより、通路を半開状態、全開状態及び全閉状態にした位置に通路開閉手段を回動でき、而して、換気を種々の開閉状態（開度）でできると共に適温にされた部屋の空気を逃がさないようにもできる上に、半開状態及び全開状態における強風に基づく部屋内への空気の吹き出しをも防止できる。
【００１７】
好ましい例では、回動手段は、本発明の第九の態様の換気ダンパのように、回動力発生手段と、この回動力発生手段により発生された回動力を通路開閉手段に伝達する伝達手段とを具備しており、伝達手段は、通路開閉手段が通路開放位置に回動された際に、通路閉塞位置に向かう通路開閉手段の自由回動を許容するようになっている。
【００１８】
通路閉塞位置に向かう通路開閉手段の自由回動を許容する伝達手段を具備した回動手段によれば、半開状態及び全開状態における強風に基づく部屋内への空気の吹き出しを効果的に防止できる。回動力発生手段としては、電動モータをその一例として挙げることができるが、これに代えて又はこれと共に、操作レバー等の手動操作可能な機構であってもよい。
【００１９】
本発明の第十の態様の換気ダンパのように、枠手段は、主通路を画成すべく、一対の側壁部材と、一対の側壁部材を橋絡した一対の横長部材とを有しており、一対の横長部材の夫々には横長のシール部材が設けられており、一対の側壁部材の夫々には縦長のシール部材が設けられており、通路開閉手段は、通路閉鎖位置に回動された際に、横長及び縦長のシール部材に当接するようになっている。
【００２０】
枠手段及び通路開閉手段が第十の態様のように構成されていると、通路の閉鎖を、高度な水密性及び気密性をもって行い得、通路の閉鎖状態での風雨の部屋内への侵入を確実に防ぎ得て、空調されて適温にされた空気の部屋外部への漏出を効果的に防止できる。
【００２１】
次に本発明及びその実施の形態を、図に示す好ましい例に基づいて更に詳細に説明する。なお、本発明はこれら例に何等限定されないのである。
【００２２】
【発明の実施の形態】
図１から図５において、本例の換気ダンパ１は、建物内外２及び３を連通する通路であって主通路４並びに副通路５及び６を具備した通路を画成する枠手段７と、枠手段７の主通路４にＡ及びＢ方向に回転自在に配されていると共に主通路４を開閉する通路開閉手段８と、枠手段７の副通路５及び６に回転自在に配されていると共に副通路５及び６の空気流によって回動される羽根手段９及び１０と、通路開閉手段８による主通路４の閉鎖を強制的に行わせるべく、通路開閉手段８を回動させる回動手段１１とを具備している。
【００２３】
枠手段７は、主通路４を画成すべく、一対の左右の側壁部材２１及び２２と、一対の側壁部材２１及び２２を橋絡した一対の中空の上下の横長部材２３及び２４とを有していると共に、一対の側壁部材２１及び２２と協働して副通路５及び６を画成すべく、側壁部材２１側に配された側壁部材２５と、側壁部材２１及び側壁部材２５を橋絡した一対の中空の上下部材２６及び２７と、側壁部材２２側に配された側壁部材２８と、側壁部材２２及び側壁部材２８を橋絡した一対の中空の上下部材２９及び３０とを具備している。
【００２４】
一対の側壁部材２１及び２２、横長部材２３及び２４、側壁部材２５、上下部材２６及び２７、側壁部材２８並びに上下部材２９及び３０の夫々は、ねじ等に互いに連結、固着されて一体化されている。
【００２５】
一対の横長部材２３及び２４の夫々にはゴム等の弾性材からなる横長のシール部材３５及び３６が当該一対の横長部材２３及び２４の夫々に嵌着されて設けられていると共に同じくゴム等の弾性材からなる縦長のシール部材３７及び３８が当該一対の側壁部材２１及び２２の夫々の段差面３９及び４０に接着剤等により接着されて設けられている。
【００２６】
本例の副通路５及び６は、主通路４を挟んで主通路４の両側に同様にして設けられており、副通路５及び６の夫々に、互いに同様の羽根手段９及び１０の夫々が配されている。
【００２７】
通路開閉手段８は、回転自在軸４５と、回転自在軸４５に固着されていると共に主通路４に配された横長の中空の閉鎖部材４６とを具備している。
【００２８】
回転自在軸４５は、側壁部材２１、２２、２５及び２８を貫通して配されており、当該側壁部材２１、２２、２５及び２８に軸受４７を介してＡ及びＢ方向に回転自在に支持されている。
【００２９】
閉鎖部材４６は、回転自在軸４５の軸心５０に対して点対称に円弧面５１及び５２を有する円弧部５３及び５４と、軸心５０の片側において円弧部５３及び５４間に配された連結部５５とを一体的に具備しており、閉鎖部材４６は、連結部５５によりその重心Ｇが回転自在軸４５の軸心５０から偏心して回転自在軸４５に固着されている。斯かる重心Ｇの軸心５０からの偏心により、閉鎖部材４６は、主通路４を開放するように、即ちＢ方向に常時回動付勢されており、換言すれば、主通路４を開放するように、その自重によりＢ方向の回転モーメントを生じさせるように回転自在軸４５に固着されている。
【００３０】
通路開閉手段８は、閉鎖部材４６が通路閉鎖位置（図６に示す位置）に回動された際に、閉鎖部材４６の先端部が、即ち本例では、円弧部５３及び５４の円弧面５１及び５２の夫々の先端部が横長のシール部材３５及び３６の夫々に当接し、閉鎖部材４６の横方向の両端部が、即ち本例では、円弧部５３及び５４の円弧面５１及び５２の夫々の横方向の両端部が縦長のシール部材３７及び３８の夫々に当接するようになっている。
【００３１】
羽根手段９と羽根手段１０とは、互いに同様に構成されているので、以下、羽根手段９について詳述すると、羽根手段９は、通路開閉手段８の閉鎖部材４６によって主通路４が開放される際（図２に示す状態の際）には、副通路５の建物内２に向かう空気流Ｘを受容し、通路開閉手段８の閉鎖部材４６によって主通路４が閉鎖される際（図６に示す状態の際）には副通路５を閉鎖するように、副通路５に張り出して回転自在軸４５に固着された羽根６１を有している。
【００３２】
本例の羽根手段９は、三枚の羽根６１を有しているが、これに代えて、図８及び図９に示すように、一枚の羽根６１を有していてもよく、この場合でも、羽根６１は、通路開閉手段８の閉鎖部材４６によって主通路４が開放される際（図２に示す状態の際）には図８に示すように副通路５の建物内２に向かう空気流Ｘを受容し、通路開閉手段８の閉鎖部材４６によって主通路４が閉鎖される際（図６に示す状態の際）には図９に示すように副通路５を閉鎖するように、副通路５に張り出して回転自在軸４５に固着されている。
【００３３】
羽根手段９は、副通路５に一定以上の速度の建物外３から建物内２に向かう空気流Ｘが生じる際に、回転自在軸４５をＡ方向に回転させて、回転自在軸４５のＡ方向の回転を介して主通路４を閉鎖するように通路開閉手段８の閉鎖部材４６を回動させるようになっている。
【００３４】
回動手段１１は、回動力発生手段としての電動モータ７１と、電動モータ７１により発生された回動力を通路開閉手段８に伝達する伝達手段７２とを具備している。
【００３５】
電動モータ７１は支持板７３に支持されており、支持板７３は基台７４に溶接又はねじ等により取付けられており、基台７４は側壁部材２８に溶接又はねじ等により固着されている。
【００３６】
伝達手段７２は、電動モータ７１の出力回転軸７５に固着されている小径の平歯車７６と、平歯車７６に噛合うと共に、支持板７３に軸部材７７及び軸受７８を介してＡ及びＢ方向に回転自在に支持された大径の平歯車７９と、軸部材７７に取付けられていると共に円弧スリット８１及び８２を有した円板８３と、回転自在軸４５の一端に固着された円板８４と、円板８４に植設されていると共に自由端の夫々が円弧スリット８１及び８２の夫々に配された係合ピン８５及び８６とを具備している。
【００３７】
なお、円板８３には、閉塞された円弧スリット８１及び８２の代わりに、円板８３の外縁側で開放された円弧スリット（凹所）を設けて、斯かる円弧スリット（凹所）に係合ピン８５及び８６の自由端が配されるようにしてもよい。また、円弧スリット８１及び８２を円板８４に、係合ピン８５及び８６を円板８３に夫々設けてもよい。
【００３８】
回動手段１１は、主通路４を開放する際には、電動モータ７１を作動させて平歯車７６及び平歯車７９を介して減速して円板８３をＢ方向に回転させ、図２に示すように閉鎖部材４６が主通路４の開放位置（全開位置）に回動された際に、図５に示すように係合ピン８５及び８６の夫々が円弧スリット８１及び８２の夫々の一端８７で円板８３に当接する一方、係合ピン８５及び８６の夫々が円弧スリット８１の夫々の他端８８に自由に移動できるようにし、主通路４を強制的に閉鎖する際には、電動モータ７１を前記と逆に作動させて平歯車７６及び平歯車７９を介して減速して円板８３を図７に示すようにＡ方向に回転させ、円板８３のＡ方向の回転により係合ピン８５及び８６を介して円板８４を同じくＡ方向に回転させ、円板８４のＡ方向の回転により回転自在軸４５を介して閉鎖部材４６を図６に示すように主通路４の閉鎖位置（全閉位置）に回動させるようになっている。
【００３９】
電動モータ７１の作動、作動停止は、他に設けられた操作スイッチ、閉鎖部材４６の回動角を検出する検出器等により行われる。
【００４０】
図２に示すように閉鎖部材４６が主通路４の開放位置（全開位置）に回動されている際に、図５に示すように係合ピン８５及び８６が円弧スリット８１及び８２の他端８８に自由に移動できるように伝達手段７２がなっているために、閉鎖部材４６はＡ方向に回動できるようになっている。このようにして本例の伝達手段７２は、通路開閉手段８が図２に示すように通路開放位置に回動された際に、図６に示すような通路閉塞位置に向かう通路開閉手段８の自由回動、即ちＡ方向の自由回動を許容するようになっている。
【００４１】
図２に示すように閉鎖部材４６が主通路４の開放位置（全開位置）に回動されている際に、副通路５に一定以上の速度の建物外３から建物内２に向かう空気流Ｘが生じると、羽根手段９が回転自在軸４５をＡ方向に回転させて、回転自在軸４５のＡ方向の回転を介して閉鎖部材４６を回転させて主通路４を閉鎖部材４６により閉鎖し、当該空気流Ｘが副通路５に生じなくなると、閉鎖部材４６は、その自重によるＢ方向の回転モーメントでもって主通路４の開放位置（全開位置）に自然と回動される。
【００４２】
斯かる本例の換気ダンパ１では、枠手段７によって主通路４並びに副通路５及び６を画成し、副通路５及び６に羽根手段９及び１０を配し、副通路５及び６に一定以上の速度の空気流Ｘが生じる際に、主通路４を閉鎖するように通路開閉手段８を羽根手段９及び１０によりＡ方向に回動させるようになっているために、電気的なセンサを必要とすることなしに屋外で吹く風に迅速に応答して主通路４を開閉できて、しかも、高出力の電動モータ等の駆動装置を必要としない結果、それ程占有スペースを必要としなく小型に構成できる。
【００４３】
加えて換気ダンパ１では、回動手段１１により主通路４を半開状態、全開状態及び全閉状態にした位置に通路開閉手段８を回動でき、而して、換気を種々の開閉状態（開度）でできると共に適温にされた部屋の空気を逃がさないようにもできる上に、半開状態及び全開状態における強風に基づく部屋内への空気の吹き出しをも防止できる。
【００４４】
また換気ダンパ１では、通路閉塞位置に向かう通路開閉手段８の自由回動を許容する伝達手段７２を具備しているために、半開状態及び全開状態における強風に基づく部屋内２への空気の吹き出しを効果的に防止できる。
【００４５】
更に換気ダンパ１では、主通路４の閉鎖を、高度な水密性及び気密性をもって行い得、主通路の閉鎖状態での風雨の建物内２への侵入を確実に防ぎ得て、空調されて適温にされた空気の建物外３への漏出を効果的に防止できる。
【００４６】
また上記の例の換気ダンパ１では、建物内外２及び３を連通する通路を、主通路４並びに副通路５及び６を具備して構成したが、図１０及び図１１に示すように、側壁部材２５、上下部材２６及び２７、側壁部材２８並びに上下部材２９及び３０を省いて、建物内外２及び３を連通する通路９１を側壁部材２１及び２２、横長部材２３及び２４でもって画成し、建物内２に向かう一定以上の速度の空気流Ｘが通路９１に生じる際に、空気流Ｘにより通路９１を閉鎖するように通路開閉手段８を回動させる羽根手段９を、閉鎖部材４６の横方向両端に固着された一対の羽根９２及び９３を具備して構成してもよい。
【００４７】
また図１０から図１２に示すように、閉鎖部材４６のＡ及びＢ方向の一定以上の回動を規制する規制手段１０１を具備して換気ダンパ１を構成してもよく、規制手段１０１は、略円形の固定部材１０２と、固定部材１０２と軸部材７７とに設けられていると共に、閉鎖部材４６による通路９１の開閉において互いに係合する係合手段１０３とを具備している。
【００４８】
係合手段１０３は、固定部材１０２に形成された円弧状の切欠き１０５と、軸部材７７に一体的に形成されていると共に切欠き１０５に配された突起１０６とを具備している。固定部材１０２は支持板７３に固着されており、軸部材７７は、固定部材１０２を当該固定部材１０２に対してＡ及びＢ方向に回転自在になって貫通して伸びている。
【００４９】
規制手段１０１は、電動モータ７１により閉鎖部材４６がＡ方向に回転されて、図６に示すように通路９１が閉鎖されると、突起１０６が切欠き１０５の一端を画定する固定部材１０２の面１１１に当接し、軸部材７７のＡ方向のそれ以上の回転を阻止し、同様に電動モータ７１により閉鎖部材４６がＢ方向に回転されて、図２に示すように通路９１が開放されると、突起１０６が切欠き１０５の他端を画定する固定部材１０２の面１１２に当接し、軸部材７７のＢ方向のそれ以上の回転を阻止するようになっている。
【００５０】
斯かる規制手段１０１を設けることにより、電動モータ７１の出力回転軸７５の慣性等に影響されることなしに、横長のシール部材３５及び３６に適切に弾性変形を生じさせて閉鎖部材４６を当接させることができる。
【００５１】
なお、図１１に示すように横長部材２３を、円弧部１２１をもって構成してもよい。
【００５２】
【発明の効果】
本発明によれば、電気的なセンサを必要とすることなしに屋外で吹く風に迅速に応答して通路を開閉できて、しかも、それ程占有スペースを必要としない小型に構成できる換気ダンパを提供することができる。
【図面の簡単な説明】
【図１】本発明の実施の形態の好ましい一例の横断面説明図である。
【図２】図１に示す例のＩＩ−ＩＩ線矢視断面図である。
【図３】図１に示す例のＩＩＩ−ＩＩＩ線矢視断面図である。
【図４】図１に示す例のＩＶ−ＩＶ線矢視断面図である。
【図５】図１に示す例のＶ−Ｖ線矢視断面図である。
【図６】図１に示す例の動作説明図である。
【図７】図１に示す例の動作説明図である。
【図８】本発明の実施の形態の好ましい他の例の説明図である。
【図９】図８に示す例の動作説明図である。
【図１０】本発明の実施の形態の好ましい他の例の説明図である。
【図１１】図１０に示す例のＸＩ−ＸＩ線矢視断面図である。
【図１２】図１０に示す例のＸＩＩ−ＸＩＩ線矢視図である。
【符号の説明】
１  換気ダンパ
２  建物内
３  建物外
４  主通路
５、６  副通路
７  枠手段
８  通路開閉手段
９、１０  羽根手段
１１  回動手段
【図１】
0004734744.tif 000002
【図２】
0004734744.tif 000003
【図３】
0004734744.tif 000004
【図４】
0004734744.tif 000005
【図５】
0004734744.tif 000006
【図６】
0004734744.tif 000007
【図７】
0004734744.tif 000008
【図８】
0004734744.tif 000009
【図９】
0004734744.tif 000010
【図１０】
0004734744.tif 000011
【図１１】
0004734744.tif 000012
【図１２】
0004734744.tif 000013